(57)【要約】      （修正有）【課題】リール自体がかさばることなく、キャリアテープの端部が保持されているか否かを外部から目視で確認することができるキャリアテープ用リールを提供する。【解決手段】キャリアテープ用リール１は、キャリアテープ２０を巻きつけるリールハブ１１と、巻きつけられたキャリアテープ２０の回転軸方向の位置を拘束する側板１２とを備える。リールハブ１１及び側板１２に、キャリアテープ２０を挿通することが可能なスリット１３が形成されている。挿通されたキャリアテープ２０を保持する方向に付勢する弾性部材を有する保持部材（ボールプランジャ）１４を、スリット１３の任意の位置に備える。【選択図】図１
2015093738.tif 000002
【特許請求の範囲】
【請求項１】
キャリアテープを巻きつけるリールハブと、
巻きつけられたキャリアテープの回転軸方向の位置を拘束する側板と
を備えるキャリアテープ用リールにおいて、
前記リールハブ及び前記側板に、キャリアテープを挿通することが可能なスリットが形成されていることを特徴とするキャリアテープ用リール。
【請求項２】
挿通されたキャリアテープを保持する方向に付勢する弾性部材を有する保持部材を、前記スリットの任意の位置に備えることを特徴とする請求項１に記載のキャリアテープ用リール。
【請求項３】
前記保持部材としてボールプランジャを用いることを特徴とする請求項２に記載のキャリアテープ用リール。
【発明の詳細な説明】
【技術分野】
【０００１】
本発明は、キャリアテープを巻き取るキャリアテープ用リールに関する。特に、キャリアテープを容易に保持することができるとともに着脱性に優れたキャリアテープ用リールに関する。
【背景技術】
【０００２】
従来、リールでキャリアテープを巻き取る場合、キャリアテープの巻き始め端が往々にして抜け落ち、自動的に巻き取ることができなくなるという問題があった。そこで、例えば特許文献１には、テープを一方のリール側板部に形成されたスリットに挿通し、板ばね等の固定手段によりテープの巻き始め端部を固定することができるテープ巻取リールが開示されている。
【０００３】
また、特許文献２には、エンボスキャリアテープを、段差を用いて円周方向に持ち上げ、係止片にエンボスキャリアテープの巻き始め端を引っ掛けることによりエンボスキャリアテープを固定するエンボスキャリアテープの巻取リールが開示されている。エンボスキャリアテープのように表面に凹凸を有しているテープであっても、凹凸を平に潰すことなく、巻き始め端を確実に固定することができる。
【先行技術文献】
【特許文献】
【０００４】
【特許文献１】特開平０９−２７８２９１号公報
【特許文献２】特開平０７−１８７５１９号公報
【発明の概要】
【発明が解決しようとする課題】
【０００５】
しかし、特許文献１に開示されているテープ巻取リールでは、一方のリール側板部に固定手段を設けている。したがって、リール自体がかさばるとともに、固定手段を設ける位置によってはリール取り付け位置が制約されるという問題点があった。
【０００６】
また、特許文献２に開示されているエンボスキャリアテープの巻取リールでは、テープの巻き始め端がリールハブに収納されるので、取付状態を外部から目視で確認することができない。つまり、固定されているか否かを確認する手段がないという問題点があった。さらに、特許文献２の構成では、エンボスキャリアテープのように表面に凹凸を有しているテープしか巻き始め端を固定することができない。
【０００７】
本発明は斯かる事情に鑑みてなされたものであり、リール自体がかさばることなく、キャリアテープの端部が保持されているか否かを外部から目視で確認することができるキャリアテープ用リールを提供することを目的とする。
【課題を解決するための手段】
【０００８】
上記目的を達成するために本発明に係るキャリアテープ用リールは、キャリアテープを巻きつけるリールハブと、巻きつけられたキャリアテープの回転軸方向の位置を拘束する側板とを備えるキャリアテープ用リールにおいて、前記リールハブ及び前記側板に、キャリアテープを挿通することが可能なスリットが形成されていることを特徴とする。
【０００９】
上記構成では、リールハブ及び側板に、キャリアテープを挿通することが可能なスリットが形成されているので、２枚の側板の間にキャリアテープを差し込み、スリットに挿通させることにより、容易にキャリアテープの端部を保持することが可能となる。また、リールの中央部近傍の係止孔にキャリアテープの端部を保持するので、エンボスキャリアテープのような表面に凹凸を有するテープであるか否かにかかわらず、端部を保持することができる。また、係止孔はリールハブ及び側板を貫通しているので、キャリアテープの取付状態を外部から容易に目視で確認することが可能となる。
【００１０】
また、本発明に係るキャリアテープ用リールは、挿通されたキャリアテープを保持する方向に付勢する弾性部材を有する保持部材を、前記スリットの任意の位置に備えることが好ましい。
【００１１】
上記構成では、挿通されたキャリアテープを保持する方向に付勢する弾性部材を有する保持部材を、スリットの任意の位置に備えるので、保持されているキャリアテープの端部が容易に抜け落ちることがなく、しかも弾性部材の付勢力を調整することにより、一定以上の張力でキャリアテープを引っ張った場合には、巻き取られたキャリアテープを容易に抜き取ることも可能となる。
【００１２】
また、本発明に係るキャリアテープ用リールは、前記保持部材としてボールプランジャを用いることが好ましい。
【００１３】
上記構成では、保持部材としてボールプランジャを用いるので、保持されているキャリアテープの端部が容易に抜け落ちることがなく、しかも弾性部材の付勢力を調整することにより、一定以上の張力でキャリアテープを引っ張った場合には、巻き取られたキャリアテープを容易に抜き取ることも可能となる。
【発明の効果】
【００１４】
上記構成によれば、リールハブ及び側板に、キャリアテープを挿通することが可能なスリットが形成されているので、２枚の側板の間にキャリアテープを差し込み、スリットに挿通させることにより、容易にキャリアテープの端部を保持することが可能となる。また、リールの中央部近傍の係止孔にキャリアテープの端部を保持するので、エンボスキャリアテープのような表面に凹凸を有するテープであるか否かにかかわらず端部を保持することができる。また、係止孔はリールハブ及び側板を貫通しているので、キャリアテープの取付状態を外部から容易に目視で確認することが可能となる。
【図面の簡単な説明】
【００１５】
【図１】本発明の実施の形態に係るキャリアテープ用リールの構成を示す正面図である。
【図２】本発明の実施の形態に係るキャリアテープ用リールのキャリアテープ取り付け時の状態を示す正面図である。
【図３】本発明の実施の形態に係るキャリアテープ用リールのボールプランジャ（保持部材）の構成を示す模式図である。
【発明を実施するための形態】
【００１６】
以下、本発明の実施の形態について、図面を参照しながら詳細に説明する。図１は、本発明の実施の形態に係るキャリアテープ用リールの構成を示す正面図である。本発明の実施の形態に係るキャリアテープ用リールで巻き取る対象は、半導体、電子部品等のマイクロチップを輸送又は保管するために使用する紙製のテープの他、表面に凹凸を有する樹脂製のエンボスキャリアテープ等も含む。
【００１７】
図１に示すように、キャリアテープ２０を巻き取るリール（キャリアテープ用リール）１は、中央部の円柱形状であるリールハブ１１の外周面にキャリアテープ２０を巻きつける。巻きつけられたキャリアテープ２０がリール１からはみ出さないよう、巻きつけられたキャリアテープ２０のリール１の回転軸方向の位置を拘束するために、回転軸方向において互いに対向するリールハブ１１の両側面に側板１２を設けている。
【００１８】
リールハブ１１には、キャリアテープ２０を係止するための係止孔１５を設けてある。係止孔１５は、リールハブ１１の回転軸方向において側板１２を貫通している。また、リールハブ１１及び側板１２には、係止孔１５とリールハブ１１の外周面とを連通するように、キャリアテープ２０を挿通することが可能なスリット１３が形成されている。
【００１９】
スリット１３は、キャリアテープ２０を差し込む方向に、リールハブ１１の外周面から係止孔１５へ向かって形成することが好ましい。差し込まれたキャリアテープ２０を容易にスリット１３に挿通させることができるからである。スリット１３に挿通されたキャリアテープ２０は係止孔１５へと誘導され、端部が係止孔１５まで到達した時点でリール１を回転させることにより、キャリアテープ２０の端部が係止孔１５にて保持され、キャリアテープ２０を巻き取ることができる。
【００２０】
係止孔１５はリールハブ１１及び側板１２を貫通しているので、キャリアテープ２０の取付状態を外部から目視で確認することができる。つまり、キャリアテープ２０の端部が係止孔１５まで到達しているか否かが一目でわかり、キャリアテープ２０の抜け等が発生しているか否かを容易に確認することができる。
【００２１】
図２は、本発明の実施の形態に係るキャリアテープ用リール１のキャリアテープ２０取り付け時の状態を示す正面図である。図２に示すように、キャリアテープ２０は、リール１の外周側から２枚の側板１２の間に、リールハブ１１の外周面に接する方向に差し込まれる。
【００２２】
次に、リールハブ１１に形成されたスリット１３にキャリアテープ２０を挿通して、そのままキャリアテープ２０の端部が係止孔１５に到達するまで差し込む。本実施の形態では、側板１２に誘導穴２１を設けておき、差し込まれたキャリアテープ２０を誘導穴２１から側板１２の外周側へ出し、スリット１３に挿通させる。これにより、差し込まれたキャリアテープ２０を容易にスリット１３に挿通することができる。
【００２３】
このように、リールハブ１１及び側板１２に、キャリアテープ２０を挿通することが可能なスリット１３が形成されているので、２枚の側板１２の間に差し込まれたキャリアテープ２０をスリット１３に挿通することにより、容易にキャリアテープ２０の端部を保持することが可能となる。また、リール１の中央部近傍の係止孔１５にてキャリアテープ２０の端部を保持するので、エンボスキャリアテープのような表面に凹凸を有するテープであるか否かにかかわらず、端部を保持することができる。また、係止孔１５は、リールハブ１１及び一方の側板１２を貫通しているので、キャリアテープ２０の取付状態を外部から容易に目視で確認することが可能となる。
【００２４】
なお、スリット１３の任意の位置に、スリット１３に挿通されたキャリアテープ２０を保持するように、キャリアテープ２０をスリット１３の壁面に押し付ける方向、すなわちキャリアテープ２０を保持する方向に付勢する弾性部材を有する保持部材１４を備えることが好ましい。保持部材１４によりスリット１３に挿通されたキャリアテープ２０を保持することができるので、保持されているキャリアテープ２０の端部が容易に抜け落ちることがない。また、弾性部材の弾性力を調整することにより、一定以上の張力でキャリアテープ２０を引っ張った場合には、巻き取られたキャリアテープ２０を容易に抜き取ることも可能となる。
【００２５】
本実施の形態では、保持部材１４としてボールプランジャを用いている。図３は、本発明の実施の形態に係るキャリアテープ用リール１のボールプランジャ（保持部材）１４の構成を示す模式図である。
【００２６】
図３に示すように、本実施の形態に係るボールプランジャ１４は、半径がスリット１３の幅以上である球体形状又は円筒形状のボール部１４１と、ボール部１４１をスリット１３側へ付勢するバネ（弾性部材）１４２と、ボール部１４１及びバネ（弾性部材）１４２を保持する枠部１４３とで構成されている。ボールプランジャ１４のボール部１４１は、枠部１４３によって回転することが可能に保持されることがより好ましい。なお、ボール部１４１の半径をスリット１３の幅以上とすることにより、ボール部１４１の下部にキャリアテープ２０が誤って誘導されることがなく、スムーズに差し込むことが可能となる。また、ボール部１４１が球状であるので、一定以上の張力でキャリアテープ２０を引っ張った場合には、巻き取ったキャリアテープ２０を容易に抜き取ることができる。さらに、枠部１４３は、リール１の一部として構成されても良い。また、スリット１３側へ付勢される部材は、必ずしも球体形状である必要はなく、楕円筒形状、円筒形状等であっても良い。
【００２７】
保持部材１４は、ボールプランジャに限定されるものではなく、例えばバネの先端に環状のリングを備える構成であっても良いし、キャリアテープ２０を差し込みやすく、一定以上の張力でキャリアテープ２０を引っ張った場合には、容易に抜き取ることができる構成であれば良い。
【００２８】
以上のように、本発明の実施の形態に係るキャリアテープ用リール１は、リールハブ１１及び側板１２に、キャリアテープ２０を挿通することが可能なスリット１３が形成されているので、２枚の側板１２の間にキャリアテープ２０を差し込み、スリット１３に挿通させることにより、容易にキャリアテープ２０の端部を保持することが可能となる。また、キャリアテープ用リール１の中央部近傍の係止孔１５にキャリアテープ２０の端部を保持するので、エンボスキャリアテープのような表面に凹凸を有するテープであるか否かにかかわらず端部を保持することができる。また、係止孔１５はリールハブ１１及び一方の側板１２を貫通しているので、キャリアテープ２０の取付状態を外部から容易に目視で確認することが可能となる。
【００２９】
その他、上述した実施の形態は、本発明の趣旨を逸脱しない範囲で変更することができることは言うまでもない。
【符号の説明】
【００３０】
１  リール（キャリアテープ用リール）
１１  リールハブ
１２  側板
１３  スリット
１４  保持部材（ボールプランジャ）
１５  係止孔
２０  キャリアテープ
１４２  バネ（弾性部材）
【図３】
2015093738.tif 000003
【図１】
2015093738.tif 000004
【図２】
2015093738.tif 000005